(57)【特許請求の範囲】
【請求項１】
大型ディーゼルエンジン用の受動型量制限バルブであって、
流体媒体用の入口と出口を有すると共に、入口と出口の間に配設されたバルブ室を有するバルブハウジングを備え、
入口側と出口側の間に閉塞要素をそれぞれ有するバルブ本体は、前記バルブ室に配置され、前記閉塞要素は、それぞれ、入口側と出口側のバルブシートと協動してシールを行うように構成され、
入口側の前記閉塞要素は、スプリングにより入口側の前記バルブシートに向かって付勢され、
前記バルブ本体に設けられるピストンを有し、前記ピストンの外側は、前記バルブ室の壁を通って摺動可能に導かれ、
流体媒体が流れることができる少なくとも１つの通路穴は、前記ピストンの端面に設けられており、
前記バルブ本体は、前記スプリングの内部に延在することを特徴とする、量制限バルブ。
【請求項２】
前記通路穴の長さの前記通路穴の直径に対する比は、各通路穴に対して４以下である、請求項１に記載の量制限バルブ。
【請求項３】
入口側の前記閉塞要素は、入口側の前記バルブシートと線接触するように構成される、請求項１又は２に記載の量制限バルブ。
【請求項４】
出口側の前記閉塞要素は、出口側の前記バルブシートと線接触するように構成される、請求項１〜３のうちのいずれか１項に記載の量制限バルブ。
【請求項５】
入口側又は出口側の前記閉塞要素は、入口側又は出口側の前記バルブシートと協動する球面を有する、請求項１〜４のうちのいずれか１項に記載の量制限バルブ。
【請求項６】
前記球面の曲率の中心は、前記バルブ本体の長手軸に対して偏心する、請求項５に記載の量制限バルブ。
【請求項７】
入口側又は出口側の前記バルブシートは、円錐形の表面を有する、請求項１〜６のうちのいずれか１項に記載の量制限バルブ。
【請求項８】
入口側及び出口側の前記閉塞要素は、同一の設計である、請求項１〜７のうちのいずれか１項に記載の量制限バルブ。
【請求項９】
前記通路穴は、径方向で前記スプリングの外側に配置される、請求項１〜８のうちのいずれか１項に記載の量制限バルブ。
【請求項１０】
入口側の前記バルブシートと入口側の前記閉塞要素との間の連通を開くための圧力差は、２バールから２０バールとなる、請求項１〜９のうちのいずれか１項に記載の量制限バルブ。
【請求項１１】
前記ピストンは、別の部品として構成され、前記バルブ本体に接続される、請求項１〜１０のうちのいずれか１項に記載の量制限バルブ。
【請求項１２】
前記スプリングは、前記ピストンの前記端面で支持される、請求項１〜１１のうちのいずれか１項に記載の量制限バルブ。
【請求項１３】
請求項１〜１２のうちのいずれか１項に記載の量制限バルブを有する大型ディーゼルエンジン。
【請求項１４】
前記量制限バルブは、燃料用の高圧貯蔵部と燃料噴射ノズルとの間に配置される、請求項１３に記載の大型ディーゼルエンジン。
【発明の詳細な説明】
【技術分野】
【０００１】
本発明は、大型ディーゼルエンジン用の受動型量制限バルブに関する。本発明は、更に、かかる受動型量制限バルブを有する大型ディーゼルエンジンに関する。
【背景技術】
【０００２】
大型ディーゼルエンジンは、２ストロークエンジン若しくは４ストロークエンジンとして構成されることができ、船舶用の駆動ユニットとして頻繁に使用され、若しくは、例えば電気エネルギの生成用の大型のジェネレータを駆動するため、固定動作でも使用される。
【０００３】
コモンレールシステムは、この点で、現在の大型ディーゼルエンジンにおける燃料供給のために確立されている。この点、燃料は、アキュムレータ若しくはレールとも呼ばれる圧力貯蔵部内に高圧ポンプにより搬送される。それぞれのシリンダに燃料を噴射する全てのシリンダの燃料噴射ノズルには、次いで、圧力貯蔵部から加圧された燃料が供給される。
【０００４】
この点、圧力貯蔵部と各燃料噴射ノズルの間にそれぞれの受動型量制限バルブを設けることは、知られている。この受動型量制限バルブは、燃料の事前設定可能な量がそれぞれの作業サイクルで燃料噴射ノズルに圧力貯蔵部から流れると直ぐに圧力貯蔵部とそれぞれの燃料噴射ノズルとの間の連通を自動的に閉じる目的を有する。これにより、漏れや他の種の損傷の場合に燃料が制御されない態様で若しくは望ましくない態様で出て行くのを防止することができる。更に、例えば整備作業に関して、エンジンがオフされ、燃料が、比較的低い圧力（例えば２バールから２０バール）で循環されるとき、即ち、燃料システムの詰まりを避けるために貯蔵タンク及び圧力貯蔵部を通って循環されるとき、圧力貯蔵部と燃料噴射ノズルとの間の接続ラインを除去することが可能である。
【先行技術文献】
【特許文献】
【０００５】
【特許文献１】DE 10 2005 012165 A1
【発明の概要】
【発明が解決しようとする課題】
【０００６】
１６００から２０００バールの非常に高い燃料の圧力に起因して、受動型量制限バルブは、非常に良好で信頼性の高いシール機能を有することが必要である。
【０００７】
大型ディーゼルエンジン内の既知の受動型量制限バルブの問題点は、特に温度で誘起される燃料の粘性変動から生まれる。重油は、通常、大型ディーゼルエンジンの燃料として使用され、典型的には、十分に流動可能となり若しくは噴射可能となるために、その非常に高い粘性に起因して１００度以上の温度まで加熱される必要がある。更に、しかしながら、十分低い粘性を有するマリンディーゼルオイルも使用され、これにより、エンジンは、通常、始動され、また、オフされる。典型的には、エンジンは、特に、港領域での船舶の移動中にマリンディーゼルオイルで動作され、遷移は、次いで、開けた海の重油の動作へと連続的になされる。しかし、マリンディーゼルオイルでの動作は、通常、重油での動作よりも燃料供給システムにおいて低温で生じる。また、これらの温度変動に起因して燃料の粘性に変動がある。しかし、これらの粘度の変化は、量制限バルブが閉じた後の燃料の通過量に影響する。例えば、量制限バルブが、第１粘性に対する特定の量に設定される場合、量制限バルブは、その他の粘性にて、より少ない量の燃料の後、若しくは、より多い量の燃料の後にだけ、既に閉じることがある。
【０００８】
本発明は、この望ましくない作用に対する対策を提供することである。従って、本発明の目的は、バルブが自動に閉じた後の通過量が媒体の粘度に実質的に依存しない大型ディーゼルエンジン用の受動型量制限バルブを提案することである。
【課題を解決するための手段】
【０００９】
これらの目的を満足する本発明の主題は、独立項の特徴により特徴付けられる。
【００１０】
本発明によれば、大型ディーゼルエンジン用の受動型量制限バルブであって、
流体媒体用の入口と出口を有すると共に、入口と出口の間に配設されたバルブ室を有するバルブハウジングを備え、
入口側と出口側の間に閉塞要素をそれぞれ有するバルブ本体は、前記バルブ室に配置され、前記閉塞要素は、それぞれ、入口側と出口側のバルブシートと協動してシールを行うように構成され、
入口側の前記閉塞要素は、スプリングにより入口側の前記バルブシートに向かって付勢され、
前記バルブ本体に設けられるピストンを有し、前記ピストンの外側は、前記バルブ室の壁を通って摺動可能に導かれる、受動型量制限バルブが提案される。流体媒体が流れることができる少なくとも１つの通路穴は、前記ピストンの端面に設けられる。
【００１１】
バルブ室は、前室と後室へとピストンにより分割され、ピストンの端面の少なくとも１つの通路穴は、前室と後室の連通を画成する。通路穴は、ピストンの端面に設けられるので、それは、非常に短く構成されることができ、従って、その流れ抵抗は、媒体の粘度から実質的に独立である。これにより、量制限バルブが自動に閉じた後の通過量が媒体の粘度から独立することになる。
【００１２】
粘度からの独立性は、特に、通路穴の長さの前記通路穴の直径に対する比は、各通路穴に対して４以下であるときに保証される。
【００１３】
特に良好なシール機能は、入口側の前記閉塞要素は、入口側の前記バルブシートと線接触するように構成されるとき、本発明による量制限バルブを使用することで達成される。
【００１４】
同じ理由で、好ましくは、出口側の前記閉塞要素は、出口側の前記バルブシートと線接触するように構成される。
【００１５】
線接触は、特に、入口側又は出口側の前記閉塞要素が、入口側又は出口側の前記バルブシートと協動する球面を有することで、容易に実現されることができる。
【００１６】
この構成において、好ましい対策は、球面の曲率の中心が、前記バルブ本体の長手軸に対して偏心することである。球面のより小さい曲率は、このようにして実現されることができ、これにより、線接触の長さが増加する。開く圧力、より正確には、開くために要する圧力差は、これにより小さい値に設定することができる。
【００１７】
好ましい実施例では、入口側又は出口側の前記バルブシートは、円錐形の表面を有する。特に良好なシール作用は、これにより達成されることができる。
【００１８】
入口側及び出口側の前記閉塞要素が同一の設計である場合は、その２つの閉塞要素の若しくはバルブ本体の自動中心出しに関して好ましい。
【００１９】
好ましい実施例によれば、バルブ本体は、前記スプリングの内側に延在する。これは、特に簡易な設計構造的である。
【００２０】
実際の局面では、各通路穴が径方向で前記スプリングの外側に配置されることが効果的である。
【００２１】
入口側の前記バルブシートと入口側の前記閉塞要素との間の連通を開くための圧力差が、２バールから２０バールとなる場合に、実際に効果的であることが証明された。これは、量制限バルブは、燃料が循環動作で貯蔵容器と圧力貯蔵部の間で循環されるときに、閉じた状態のままであるべきであるためである。圧力貯蔵部の圧力は、通常、循環動作で、２バールから２０バール、例えば１０バールとなる。この際、入口側の前記バルブシートと入口側の前記閉塞要素との間の連通を開くための圧力差は、幾分高く、例えば１５バールに設定され、従って、循環動作で開動作が起きない。
【００２２】
製造上、好ましくは、ピストンは、別の部品として構成され、前記バルブ本体に接続される。
【００２３】
更に効果的には、スプリングは、ピストンの前記端面で支持される。
【００２４】
本発明による量制限バルブを有する大型ディーゼルエンジンが本発明により更に提案される。
【００２５】
量制限バルブは、好ましくは、燃料用の高圧貯蔵部と燃料噴射ノズルとの間に配置される。
【００２６】
更に効果的な対策及び本発明の好ましい実施例は、従属項から導かれる。
【図面の簡単な説明】
【００２７】
【図１】本発明による量制限バルブの一実施例の長手方向の断面図。
【図２】大型ディーゼルエンジンのコモンレールシステムの概略図。
【図３】図１の実施例のバルブ本体の図。
【図４】ピストンが配置された図１の実施例のバルブ本体の図。
【発明を実施するための形態】
【００２８】
以下、図面を参照して、本発明の詳細な説明を行う。尚、寸法どおりで無く部分的に断面にて概略図で示されている。
【００２９】
図１は、長手方向の断面図で、参照符号１により全体として指示される本発明による量制限バルブの一実施例を示す。断面は、量制限バルブ１の長手軸Ａに沿ってなされる。
【００３０】
量制限バルブ１は、受動型バルブであり、即ち制御信号によりアクティブに制御若しくは作動されないことを意味し、例えば、むしろ、支配する圧力差に応じて自身で若しくは自動的に開閉する。
【００３１】
受動型量制限バルブ１は、バルブハウジング２を備え、バルブハウジング２は、ここでは２つの部品で構成され、下部２１とカバー若しくは上部２２を含む。上部２２及び下部２１は、互いに複数のネジ２３により固定される。バルブハウジング２は、流体媒体用の入口３と出口４を有する。長手軸Ａの方向に延在するバルブ本体６が内部に配置されるバルブ室５は、入口３と出口４の間のバルブハウジング２内に設けられる。
【００３２】
図３は、より理解しやすいようにバルブ本体６のその他の概略図を示す。その２つの軸端は、２つの閉塞要素６３，６４、即ち、入口側の閉塞要素６３及び出口側の閉塞要素６４により形成される。これらの閉塞要素６３，６４は、それぞれ、入口側のバルブシート３１及び出口側のバルブシート４１と協動してシールを行うように構成される。双方のバルブシート３１，４１は、バルブハウジング２内に、即ち、出口側のバルブ室５の端部若しくは入口側のバルブ室５の端部にて設けられる。バルブシート３１，４１は、バルブハウジング２内に直接的に形成されることができ、若しくは、別の部品として製造され、バルブハウジング２内の対応する切欠き部内に挿入され、例えば収縮により、そこで固定される。バルブシート３１，４１を別の部品として製造することは、用途に応じてより効果的であり、これは、材料に関するより高い柔軟性がそこから生まれるためである。この際、バルブシート３１，４１に対して、バルブハウジング２とは異なる材料から製造されることができる。
【００３３】
本実施例では、入口側と出口側の双方のバルブシート３１，４１は、それぞれ、円錐形の表面３２，４２を有し、円錐形の表面３２，４２は、それぞれ、入口側と出口側の閉塞要素６３，６４と協動する。
【００３４】
ピストン７は、バルブ本体６に設けられ、その外径に関して、外側がバルブ室５の壁を通って摺動可能に案内されるように、寸法付けられる。僅かな隙間は、ピストン７の外側とバルブ室５の壁の間に設けられる。図４は、より理解しやすいようにピストン７を備えるバルブ本体６の図を示す。ピストン７は、略円筒状に構成され、そのシリンダ軸が長手軸Ａに一致するように配置される。ピストン７は、入口３に面する側に端面７１を有し、ピストン７の他方の軸方向の端部は開口する。
【００３５】
バルブ本体６及びピストン７は、１ピースで構成されることができる。しかし、通常、バルブ本体６及びピストン７を２つの別の構成要素として製造し、続いてそれらを接続することは、技術的な生産の観点からより好ましい。ピストン７は、その特性を理想的にそれぞれの用途に適合し若しくは製造を簡易化するため、例えば異なる材料の１つ以上の部品から製造されることができる。
【００３６】
ここで説明される実施例では、ピストン７の端面７１は、バルブ本体６を受け入れる機能を果たす中心孔７２を備える。バルブ本体６は、端面７１に対する当接部として機能するフランジ状の突起６５を有する。バルブ本体６は、フランジ状の突起６５が内側から端面７１に当接するまで端面７１の中心孔７２を通って内側から押される。この点、寸法は、互いに対して適合され、従って、入口側のバルブ本体６の閉塞要素６３は、ピストン７の端面７１を越えて完全に突出する（図４参照）。ここで説明される実施例では、ピストン７は、バルブ本体６上に収縮される。
【００３７】
本発明によれば、軸方向で端面７１を通って長手軸Ａに平行に延在する少なくとも１つの通路穴７３は、ピストンの端面７１内に設けられる。本実施例では、複数の通路穴７３が設けられる。
【００３８】
各通路穴７３は、直径ｄと長さＬを有し、直径ｄは、流れ抵抗に対して決定的な直径を意味し、即ち概して、通路穴７３の最も小さい直径である。
【００３９】
更に、複数の穴７４は、ピストン７のジャケット表面に設けられ、それぞれ、ピストン７の壁を通って径方向に延在する。この点、径方向は、軸方向に垂直な方向を意味し、軸方向は、長手軸Ａにより決定される。流体媒体は、例えばピストン７の潤滑を提供するために、穴７４を通って出てバルブ室５の壁に到達することができる。
【００４０】
特に図１に示すように、バルブ本体６は、入口側の閉塞要素６３が入口側のバルブシート３１に押圧されるように、スプリング８により入口側のバルブシート３１に向かって付勢される。スプリング８は、軸方向に延在し、バルブ本体６と共軸であり、バルブ本体６は、スプリング８の内側に延在する。スプリング８は、バルブハウジング２にて、出口側でバルブシート４１まわりに支持される一方、ピストン７の端面にて内側に支持される。
【００４１】
更なる詳細を説明する前に、量制限バルブ１の動作モードが先ず説明されるべきである。量制限バルブ１は、大型ディーゼルエンジンのコモンレールシステムに適している。現代の大型ディーゼルエンジンでは、通常、例えば燃料噴射用、ガス交換用若しくは補助システム用に、複数のコモンレールシステムが存在する。以下、参照は、燃料噴射の用途に対してなされる。大型ディーゼルエンジンは、通常、燃料として重油で動作され、即ち流体媒体はこの場合重油である。更なる燃料として、マリンディーゼルオイルは、しばしば、使用され、特に、港内のエンジン動作用に使用され、即ち船舶が港を出発する前若しくは港領域内に帆走するとき、大型ディーゼルエンジンは、典型的には、マリンディーゼルオイルで動作される。マリンディーゼルオイルでの動作時の燃料の動作温度は、通常、重油動作時よりも顕著に低い。燃料の粘性の変動は、これからも生まれる。
【００４２】
本発明による量制限バルブ１は、重油に適しており、それ故に、大型ディーゼルエンジンの燃料噴射のコモンレールシステムで使用されることができる。図２は、かかる大型ディーゼルエンジンのコモンレールシステムの概略図を示す。システムは、高圧ポンプ５０を含み、これにより、燃料、即ち重油は、アキュムレータ若しくはレールとも呼ばれる圧力貯蔵部５１内へ搬送される。この圧力貯蔵部５１は、通常、略シリンダヘッドのレベルでエンジンに沿って延在する管状の構成要素として構成される。ライン５２は、圧力貯蔵部から分岐し、燃料噴射ノズル５３に至り、それらに重油を供給する。図２では、理解のために十分である理由から、かかる１つのライン５２及び１つの燃料噴射ノズル５３のみが示されている。圧力貯蔵部内の重油は、噴射圧に略対応する圧力である。この圧力は、例えば１６００バールであるが、例えば２０００バールまでも、より高くすることもできる。例えば圧力貯蔵部５１に直接若しくは圧力貯蔵部５１上に取り付けられる、量制限バルブ１は、圧力貯蔵部５１とライン５２の間に設けられる。量制限バルブ１は、その入口３が圧力貯蔵部５１に連通しその出口４がライン５２に連通するように、配置される。
【００４３】
燃料噴射ノズル５３がシリンダ内に燃料を依然として噴射していない限り、量制限バルブ１は、図１に示す閉位置であり、この場合、入口側の閉塞要素６３は、入口側のバルブシート３１と協動してシールし、重油が量制限バルブ１を通過できないようにする。この状態では、略同一の流体圧は、出口４と入口３とで重油を介して存在する。スプリング８は、入口側のバルブシート３１内へとシールする態様で入口側の閉塞要素６３を付勢する。
【００４４】
燃料噴射ノズル５３がシリンダの燃焼スペース内に重油を噴射し始めると直ぐに、ライン５２内の圧力は落ちる。これは、バルブ本体６が図示（図１）に従いピストン７と共に上方へ動く結果を有し、これにより、入口側の閉塞要素６３は、入口側のバルブシート３１から上昇して離れ、従って、圧力貯蔵部５１からの重油は、通路穴７３、量制限バルブ１を通過でき、ライン５２内に流入することができる。入口側のバルブシート３１で連通を開くために必要とされる圧力差は、以下で更に説明される異なる対策により設定されることができる。この圧力差は、効果的には、２バールから２０バールまでの値に設定される。圧力差は、循環動作中の圧力貯蔵部５１内の圧力よりも大きい圧力に設定される。
【００４５】
入口側のバルブシート３１でのバルブ接続が開である場合、ピストン７のストロークは、重油の噴射される量に依存し、少なくとも近似的に比例する。噴射プロセスが終了すると直ぐに、即ち燃料噴射ノズル５３が閉じられると直ぐに、ライン５２内の圧力が再び上昇する。これによりピストン７が動き、スプリング８の張力を介して、図示（図１）に従い下方に動き、その際、重油は、通路穴７３を通って流れ出ることができる。この動きは、入口側の閉塞要素６３が再び入口側のバルブシート３１内にシールする態様で付勢されるときに終了する。
【００４６】
ピストン７は、最大として決定された重油の量が量制限バルブ１を通過したときに最大ストロークに到達する。量制限バルブ１は、通常、正規の若しくは正常な噴射プロセス時に、ピストン７の最大ストロークは、出口側のバルブシート４１内に出口側の閉塞要素６４をシール態様で付勢するには不十分である。
【００４７】
例えば、量制限バルブ１の下流側で燃料噴射ノズル５３の漏れ若しくは異常が生じた場合、正常な噴射プロセスよりも多くの重油が量制限バルブ１を通って流れる。これは、ピストンが、出口側のバルブシート４１内に出口側の閉塞要素６４をシール態様で付勢されるまで、図示（図１）に従いその上方向の動きを継続する結果を有する。これがなされると直ぐに、更なる重油は、ライン５２内へと量制限バルブ１を通って流れることができなくなる。
【００４８】
例えば、整備作業の過程で、燃料噴射ノズル５３若しくはライン５２を解体することが望ましいことがある。大型ディーゼルエンジンは、この目的のためにオフされる。燃料は冷却せず、従って非常に粘性があり若しくはほとんど固体であり、燃料供給系を塞ぐので、図２に示されない逆流ライン及び圧力貯蔵部５１を通って燃料容器から燃料を循環させることが通常である。この循環動作は、通常、図示されない粗引きポンプでのみ生じ、即ち、高圧ポンプ５０は、この循環動作では作動状態にない。圧力貯蔵部５１内の圧力は、循環動作において、典型的には、２バールから２０バールとなり、例えば１０バールとなる。
【００４９】
圧力貯蔵部５１内の圧力がこの値まで降下した場合、ライン６２は、減圧され、次いで、解体されることができる。量制限バルブ１の出口４での圧力は、それにより降下する。しかし、入口側のバルブシート３１と入口側の閉塞要素６３の間の連通を開くための圧力差は、循環動作時の圧力よりも大きくなるように設定され、この例では、この圧力差は、約１５バールに設定されるので、ピストンは動かず、むしろ、ピストンは、圧力の無いラインにより図１に示す閉位置に留まる。
【００５０】
かかるライン５２の解体を可能な限り簡易化するために、効果的には、入口側のバルブシート３１と入口側の閉塞要素６３の間の連通を開くための圧力差は、２バールから２０バールの値に設定され、即ち、循環動作時の圧力貯蔵部５１の圧力よりも大きい値に設定される。これにより、重油は、簡易な態様で再循環されることができる。２バールから２０バールの圧力差が意味するところは、入口側の閉塞要素６３は、図示（図１）に従い底部の端面７１の側の圧力が、量制限バルブ１の入口３の圧力よりも、２バールから２０バールの間のこの値だけ小さい場合にだけ、開くことである。
【００５１】
本発明による量制限バルブ１の主要な局面は、少なくとも１つの通路穴７３がピストン７の端面７１に設けられることである。この対策に起因して、燃料が通って流れる（若しくは逆方向に戻される）各通路穴７３は、非常に短く維持できるので、これにより、通路穴７３の流体力学上の流れ抵抗は、燃料の粘性から独立する。従って、量制限バルブが設定される燃料の量が、燃料の粘性の変動時にも一定に維持されることが保証される。それ故に、量制限バルブ１が特定の最大の量に設定される場合、燃料の粘性が変化し若しくは粘性が変動したとき、この最大値に到達する燃料の量も一定となる。この粘性からの独立性は、特定の値に対する非常に正確で不変の燃料の制限を達成できることを意味し、この値は、また、粘性の変動時に如何なる変化も受けない。
【００５２】
通路穴の流体力学上の流れ抵抗は、通って流れる媒体の粘性に独立しているので、通路穴７３の長さLの通路穴７３の直径ｄに対する比がせいぜい４であるときに特に効果的であることが証明された。この点で直径ｄは、流れ抵抗に対して決定的な直径ｄを意味し、概して、長さLに亘って直径が変化する場合は、最小直径である。
【００５３】
圧力貯蔵部５１内の動作圧は非常に大きく、例えば１６００バール若しくは２０００バールまでもなるので、非常に良好なシール作用は、入口側のバルブシート３１と入口側の閉塞要素６３の間若しくは出口側のバルブシート４１と出口側の閉塞要素６４の間で達成されることが、必然的に重要である。この目的のため、入口側の閉塞要素６３又は出口側の閉塞要素６４、特には入口側の閉塞要素６３及び出口側の閉塞要素６４の双方が、入口側のバルブシート３１又は出口側のバルブシート４１とそれぞれ線接触するように構成されることが、特に効果的であることが証明されている。関連する同士間の、かかる線接触は、非常に効率的であり、特に漏れが無い。線接触は、更に、ピストン７の回転に関して非常に許容性があり、即ち高いシール作用は、ピストンの軽い回転や向きの誤差があっても保証される。
【００５４】
本実施例では、線接触は、入口側のバルブシート３１及び出口側のバルブシート４１の双方で実現され、入口側の閉塞要素６３及び出口側の閉塞要素６４のそれぞれは、入口側又は出口側のバルブシート３１，４１のそれぞれにそれぞれの円錐表面３２又は４２とそれぞれ協動する球面６３１又は６４１を有する。
【００５５】
軸方向に関する線接触の位置は、それぞれの連通を開くために必要とされる圧力差に影響する。例えば、入口側のバルブシート３１では、全体の外周に亘って測定される線接触の長さが長くなると、図１の絵に関して、軸方向に関して線接触がより高くなる。線接触の長さが大きいほど、連通を開くために必要とされる圧力差が小さくなる。それぞれの連通が開かれる圧力差は、それ故に、それぞれ、球面６３１又は６４１の線接触の位置に亘って設定されることができる。
【００５６】
好ましい圧力差は、２バールから２０バールで比較的小さいので、線接触の長さが大きいことが望ましい。これは、それぞれ、球面６３１又は６４１の曲率の中心Ｍがバルブ本体６の長手軸Ａに対して偏心することにおいて特に保証されることができる。これは、曲率の中心Ｍ、ここでは、球面６３１又は６４１がそれぞれある当該球の中心が、長手軸Ａに平行で長手軸Ａから間隔ｅを有する直線Ｋ上にあることを意味する。曲率の中心が長手軸Ａ上にある場合よりも、非常に小さい曲率は、この対策により実現されることができる。
【００５７】
多くの場合、曲率は、実際の性能の局面下では比較的小さいが、効果的には、球面６３１及び６４１と円錐面３２及び４２間でそれぞれ線接触が保証されるほど大きくあるべきである。それぞれの線接触の長さ及びそれに伴い開くのに要する圧力差は、所与の曲率で間隔ｅの大きさを介して設定することができる。
【００５８】
それぞれの連通を開くために必要とされる圧力差に関して影響を与えることができる若しくは設定することができる更なる手段は、弾性特性の選択、特にスプリング８の弾性係数の選択である。
【００５９】
入口側の閉塞要素６３及び出口側の閉塞要素６４が、少なくとも、それぞれのバルブシート３１，４１と協動する表面に関して同一に構成されていることは、更に効果的な対策である。バルブ本体６の自動中心出し作用は、この対称性により実現されることができる。バルブ本体６の簡易な中心出しは、ピストン７のジャケット表面とバルブ室５の壁との間の僅かな隙間により達成される。
【００６０】
入口側のバルブシート３１と入口側の閉塞要素６３の間、及び、出口側のバルブシート４１と出口側の閉塞要素６４の間の線接触は、それぞれ協動する表面の他の幾何的な実施例により実現されることもできる。例えば、協動する表面の双方は、それぞれ、球面として構成されることができ、若しくは、協動する表面の双方は、それぞれ、特には異なる円錐角を持って、円錐面として構成される。
【００６１】
上述の如く、全ての通路穴７３は、好ましくは、軸方向に関してスプリング８の外側にある、即ち、通路穴７３の中心軸と長手軸Ａとの間の間隔は、各通路穴に関して、ピストンの端面７１の外面でのそれぞれの通路穴７３の半径にスプリング８の外径の半分を足したものよりも大きい。
【符号の説明】
【００６２】
１    量制限バルブ
２    バルブハウジング
３    入口
４    出口
５    バルブ室
６    バルブ本体
７    ピストン
８    スプリング
３１、４１    バルブシート
５１    圧力貯蔵部
６３，６４    閉塞要素
７１    端面
７３    通路穴
【図１】
0005881981.tif 000002
【図２】
0005881981.tif 000003
【図３】
0005881981.tif 000004
【図４】
0005881981.tif 000005